(57)【要約】【課題】一枚のダンボール板から簡易に形成できると共に、収容物を見える状態で並べて配置した展示箱として、収容物を容易に陳列することのできるダンボール箱を提供する。【解決手段】中空内部を２分割するように底面部１２の中央部分から立設して、仕切り取手壁１１が、一方の対向する側面部１４ａと平行に配置されて設けられおり、底面板２４を横断して、底面部折曲げ誘導線２６が、仕切り取手壁１１の直下部分に沿って設けられている。仕切り取手壁１１が立設する中央部分を挟んだ両側に、上面板２２と、他方の対向する側面板２３ｂとに跨るように連続して、一対の第１切取り誘導線２５ａが、底面板２４と、他方の対向する側面板２３ｂとの一方の角部２７から、他方の角部２７に至るまで延設して設けられており、且つこれらの角部２７に沿って、一対の第１切取り誘導線２５ａの端部の間に第２切取り誘導線２５ｂが設けられている。【選択図】図１
2015105115.tif 000002
【特許請求の範囲】
【請求項１】
所定の形状に裁断された１枚のダンボール板を折曲げ線に沿って折り曲げることで、底面部と、上面部と、４方の側面部とからなる直方体形状に形成されるダンボール箱であって、
中空内部を２分割するように前記底面部の中央部分から立設して、仕切り取手壁が、一方の対向する一対の前記側面部と平行又は略平行に配置されて設けられおり、前記底面部の底面板を横断して、底面部折曲げ誘導線が、前記仕切り取手壁の直下部分に沿って設けられており、
前記仕切り取手壁が立設する中央部分を挟んだ両側に、前記上面部の上面板と、他方の対向する一対の前記側面部の側面板とに跨るように連続して、一対の第１切取り誘導線が、前記底面板と、前記他方の対向する一対の前記側面部の側面板との一方の角部から、他方の角部に至るまで延設して設けられており、且つこれらの角部に沿って、前記一対の第１切取り誘導線の端部の間に第２切取り誘導線が設けられており、
前記仕切り取手壁によって仕切られた両側の中空内部に、複数の収容物が各々収容されているダンボール箱。
【請求項２】
前記第１切取り誘導線及び前記第２切取り誘導線を介して、これらの切取り誘導性によって囲まれる部分を切り取った後に、前記仕切り取手壁を把持して引き上げることにより、収容物の重量によって、前記底面板を、前記底面部折曲げ誘導線に沿って、これの両側の部分が重ね合されるまで二つ折りさせると共に、前記一方の対向する一対の前記側面部により展示用底面部を形成して、展示箱として用いられる請求項１記載のダンボール箱。
【請求項３】
前記底面部から立設する前記仕切り取手壁の立設基端部に沿って、第３切取り誘導線が設けられており、前記仕切り取手壁を引き上げて得られた展示箱から、前記仕切り取手壁を、前記第３切取り誘導線に沿って切離し可能となっている請求項２記載のダンボール箱。
【請求項４】
前記仕切り取手壁によって仕切られた両側の中空内部に、複数の収容物が、上端部を前記仕切り取手壁側に、下端部を前記一方の対向する一対の前記側面部側に配設した状態で収容されている請求項１〜３のいずれか１項記載のダンボール箱。
【請求項５】
前記収容物が、可撓性を備える軟包材によって形成された袋に内容液が収容された、扁平な袋容器である請求項１〜４のいずれか１項記載のダンボール箱。
【請求項６】
請求項１〜５のいずれか１項記載のダンボール箱による収容物の陳列方法であって、前記第１切取り誘導線及び前記第２切取り誘導線を介して、これらの切取り誘導性によって囲まれる部分を切り取った後に、前記仕切り取手壁を把持して引き上げることにより、収容物の重量によって、前記底面板を、前記底面部折曲げ誘導線に沿って、これの両側の部分が重ね合されるまで二つ折りさせると共に、前記一方の対向する一対の前記側面部により展示用底面部を形成することで、前記ダンボール箱から、複数の前記収容物を見える状態で収容した、一対の分割収容部を並べて配置した展示箱を形成して、複数の前記収容物を見える状態で陳列する収容物の陳列方法。
【請求項７】
前記仕切り取手壁によって仕切られた両側の中空内部に、複数の収容物が、上端部を前記仕切り取手壁側に、下端部を前記一方の対向する一対の前記側面部側に配設した状態で収容されていることで、前記展示箱によって前記収容物が正立状態で陳列される請求項６記載の収容物の陳列方法。
【請求項８】
前記仕切り取手壁を引き上げて得られた前記展示箱から、前記仕切り取手壁を、前記第３切取り誘導線に沿って切り離して除去することで、前記仕切り取手壁が陳列の邪魔にならないようにする請求項６又は７記載の収容物の陳列方法。
【発明の詳細な説明】
【技術分野】
【０００１】
本発明は、ダンボール箱に関し、特に、所定の形状に裁断された１枚のダンボール板を折曲げ線に沿って折り曲げることで、直方体形状に形成されるダンボール箱に関する。
【背景技術】
【０００２】
例えば、各種の日用雑貨品等の物品を複数まとめて梱包して、搬送や保管に供するための箱として、ダンボール箱が多用されている。ダンボール箱は、所定の形状に裁断されたダンボール板に折曲げ加工や切込み加工等を施すと共に、必要に応じて接着剤等による接合手段を用いることによって、側面部と、天面部と、底面部とを備える、好ましくは直方体形状に形成される。
【０００３】
また、搬送や保管に適した直方体形状から、その一部を切り取ったり、組み付け直したりすることで、収容物を見える状態として、陳列用の展示箱としても用いることが可能なダンボール箱も種々開発されている（例えば、特許文献１、特許文献２参照）。
【先行技術文献】
【特許文献】
【０００４】
【特許文献１】特開２００７−３２６６００号公報
【特許文献２】特開２０１１−２５１７２０号公報
【特許文献３】特開２００７−５３３５６１号公報
【発明の概要】
【発明が解決しようとする課題】
【０００５】
上記従来の陳列用の展示箱としても用いることが可能なダンボール箱では、補強用の仕切り材を別部材として使用したり、収容物を一旦取り出してから組み付け直したりする必要があるため、ダンボール箱の製造工程や販売現場での作業が煩雑になる。このようなことから、１枚のダンボール板から簡易に形成できると共に、販売現場では簡単な作業によって展示箱とすることが可能なダンボール箱の開発が望まれている。
【０００６】
一方、ダンボール箱とは異なり、例えば食品の入った軽量の小袋を複数まとめて収容して出荷させる小形のカートンとして、出荷先において、展示用のツインディスペンサーボックスに切り換えることが可能な出荷カートンが知られている（例えば、特許文献３参照）。
【０００７】
特許文献３の出荷カートンは、底面部と、上面部と、４方の側面部とからなる直方体形状を備えており、上面部と、一方の対向する一対の側面部とに跨るように連続して、一対の切取り誘導線が、底面部と一対の側面部との一方の角部から、他方の角部に至るまで延設して設けられている。これらの一対の切取り誘導線によって挟まれる部分を切り取った後に、底面部の中央部分を、これの両側の部分が重ね合されるまで二つ折りすることで、他方の対向する一対の側面部を陳列時の底面部として、複数の軽量の小袋が見える状態で収容された両側の一対のディスペンサーボックスを、横に並べて陳列棚等に陳列できるようになっている。
【０００８】
しかしなら、特許文献３の出荷カートンは、軽量の小袋を複数収容した、片手で容易に持てる程度の軽い梱包物となっているため、誘導線によって挟まれる部分を切り取った後に、底面部を二つ折りにして陳列棚等に陳列する作業を手軽に行うことが可能であるが、収容物として、例えば液体洗剤や柔軟剤等を充填した、相当の重さの複数の袋容器が収容されるダンボール箱の場合には、大きさが大きく重量も重いため、底面部を二つ折りにして両側の一対の収容部を並べた状態とする作業に手間がかかることになる。
【０００９】
本発明は、一枚のダンボール板から簡易に形成できると共に、販売現場において、複数の収容物を見える状態で収容した一対の収容部が並べて配置された展示箱として、収容物を容易に陳列することのできるダンボール箱を提供することを目的とする。
【課題を解決するための手段】
【００１０】
本発明は、所定の形状に裁断された１枚のダンボール板を折曲げ線に沿って折り曲げることで、底面部と、上面部と、４方の側面部とからなる直方体形状に形成されるダンボール箱であって、中空内部を２分割するように前記底面部の中央部分から立設して、仕切り取手壁が、一方の対向する一対の前記側面部と平行又は略平行に配置されて設けられおり、前記底面部の底面板を横断して、底面部折曲げ誘導線が、前記仕切り取手壁の直下部分に沿って設けられており、前記仕切り取手壁が立設する中央部分を挟んだ両側に、前記上面部の上面板と、他方の対向する一対の前記側面部の側面板とに跨るように連続して、一対の第１切取り誘導線が、前記底面板と、前記他方の対向する一対の前記側面部の側面板との一方の角部から、他方の角部に至るまで延設して設けられており、且つこれらの角部に沿って、前記一対の第１切取り誘導線の端部の間に第２切取り誘導線が設けられており、前記仕切り取手壁によって仕切られた両側の中空内部に、複数の収容物が各々収容されているダンボール箱を提供することにより、上記目的を達成したものである。
【００１１】
また、本発明は、前記ダンボール箱による収容物の陳列方法であって、前記第１切取り誘導線及び前記第２切取り誘導線を介して、これらの切取り誘導性によって囲まれる部分を切り取った後に、前記仕切り取手壁を把持して引き上げることにより、収容物の重量によって、前記底面板を、前記底面部折曲げ誘導線に沿って、これの両側の部分が重ね合されるまで二つ折りさせると共に、前記一方の対向する一対の前記側面部により展示用底面部を形成することで、前記ダンボール箱から、複数の前記収容物を見える状態で収容した、一対の分割収容部を並べて配置した展示箱を形成して、複数の前記収容物を見える状態で陳列する収容物の陳列方法を提供することにより、上記目的を達成したものである。
【発明の効果】
【００１２】
本発明のダンボール箱によれば、一枚のダンボール板から簡易に形成できると共に、販売現場において、複数の収容物を見える状態で収容した一対の収容部が並べて配置された展示箱として、収容物を容易に陳列することができる。
【図面の簡単な説明】
【００１３】
【図１】本発明の好ましい一実施形態に係るダンボール箱の、内部を透視した状態で示す斜視図である。
【図２】本発明の好ましい一実施形態に係るダンボール箱の、切取り誘導性によって囲まれる部分を切り取った状態の斜視図である。
【図３】本発明の好ましい一実施形態に係るダンボール箱の、展示箱とした状態の斜視図である。
【図４】本発明の好ましい一実施形態に係るダンボール箱を形成するダンボール板の展開図である。
【図５】（ａ）〜（ｄ）は、ダンボール箱から展示箱に切り換える工程を説明する略示斜視図である。
【発明を実施するための形態】
【００１４】
図１に示す本発明の好ましい一実施形態に係るダンボール箱１０は、収容物３０として、例えば可撓性を備える軟包材によって形成された、パウチやガセット袋やピロー袋等の袋に、内容液として詰め替え用の液体洗剤等が充填された扁平な袋容器を、複数梱包して搬送したり保管したりするための箱体として用いられる。また、本実施形態のダンボール箱１０は、一枚のダンボール板２０（図４参照）から簡易に形成できると共に、手作業によって容易に破断可能な切取り誘導線２５ａ，２５ｂを備えている。この切取り誘導線２５ａ，２５ｂによって囲まれる部分を切り離すと共に（図２参照）、中空内部を仕切る仕切り取手壁１１を配持してダンボール箱１０の全体を引き上げるだけの簡単な作業によって、展示箱１０’（図３参照）に切り換えて、販売現場の陳列棚等に収容物３０を容易に陳列できるようになっている。
【００１５】
そして、本実施形態のダンボール箱１０は、図４に示す所定の形状に裁断された１枚のダンボール板２０を折曲げ線２１ａ，２１ｂに沿って折り曲げることで、図１〜図３に示すように、底面部１２と、上面部１３と、４方の側面部１４ａ，１４ｂとからなる直方体形状に形成される。本実施形態のダンボール箱１０は、直方体形状の中空内部を２分割するように底面部１２の中央部分から立設して、仕切り取手壁１１が、一方の対向する一対の側面部１４ａと平行又は略平行に配置されて設けられおり、底面部１２の底面板２４を横断して、底面部折曲げ誘導線２６が、仕切り取手壁１１の直下部分に沿って設けられている。仕切り取手壁１１が立設する中央部分を挟んだ両側に、上面部１３の上面板２２と、他方の対向する一対の側面部１４ｂの側面板２３ｂとに跨るように連続して、一対の第１切取り誘導線２５ａが、底面板２４と、他方の対向する一対の側面部１４ｂの側面板２３ｂとの一方の角部２７から、他方の角部２７に至るまで延設して設けられており、且つこれらの角部２７に沿って、一対の第１切取り誘導線２５ａの端部の間に第２切取り誘導線２５ｂが設けられている。仕切り取手壁１１によって仕切られた直方体形状のダンボール箱１０の両側の中空内部に、複数の収容物３０が各々収容されている。
【００１６】
また、本実施形態では、仕切り取手壁１１によって仕切られた直方体形状のダンボール箱１０の両側の中空内部に、複数の収容物３０が、上端部３０ａを仕切り取手壁１１側に、下端部３０ｂを一方の対向する一対の側面部１４ａ側に配設した状態で収容されている。
【００１７】
本実施形態のダンボール箱１０は、図４に示すような一枚のダンボール板２０を用いて形成されている。ダンボール板２０は、ダンボール箱１０を展開した所定の形状となるように、例えば打ち抜いて裁断することによって、容易に得ることができる。また、ダンボール板２０には、折れ癖加工や切込み加工等が施されていることで、縦方向折曲げ線２１ａや横方向折曲げ線２１ｂの他、切込みや切抜き等が適宜の箇所に設けられている。これらによって、ダンボール箱１０を、所望の直方体形状となるように容易に組み付けることができる。
【００１８】
本実施形態では、ダンボール板２０には、図４における上下方向中央部分に、一方の対向する一対の側面部１４ａを形成する横長帯板形状の２枚の第１側面板２３ａと、他方の対向する一対の側面部１４ｂを形成する横長帯板形状の２枚の第２側面板２３ｂとが、右側から左側に向けて交互に配置されると共に、縦方向折曲げ線２１ａを介して連設して設けられている。左側の第２側面板２３ｂのさらに左側の端部には、重合せ接合片２８が、縦方向折曲げ線２１ａを介して連設して設けられている。
【００１９】
左側の第２側面板２３ｂの上方には、上面部１３を形成する横長矩形形状の上面板２２が、横方向折曲げ線２１ｂを介して連設して設けられている。上面板２２は、第１側面板２３ａの長さの１／２と同様の縦幅を有するように設けられている。左側の第２側面板２３ｂの下方には、底面部１２を形成する横長矩形形状の底面板２４が、横方向折曲げ線２１ｂを介して連設して設けられている。底面板２４は、第１側面板２３ａの１／２の長さと同様の縦幅を有するように設けられている。
【００２０】
左側の第２側面板２３ｂの右側に連設する左側の第１側面板２３ａの上方には、上面板２２と共に上面部１３を形成する横長帯板形状の上面フラップ板２９が、横方向折曲げ線２１ｂを介して連設して設けられている。上面フラップ板２９は、上面板２２の縦幅の１／２と同様の縦幅を有するように設けられている。左側の第１側面板２３ａの下方には、底面板２４と共に底面部１２を形成する横長矩形形状の重合せ底面板３１が、横方向折曲げ線２１ｂを介して連設して設けられている。重合せ底面板３１は、第２側面板２３ｂの１／２の長さと同様の縦幅を有するように設けられている。重合せ底面板３１のさらに下方には、仕切り取手壁１１を形成する横長矩形形状の仕切り板３２が、横方向折曲げ線を兼ねる第３切取り誘導線２５ｃを介して連設して設けられている。仕切り板３２の下部中央部分には、例えば長円形状の取っ手穴３３が開口形成されている。
【００２１】
左側の第１側面板２３ａの右側に連設する右側の第２側面板２３ｂの上方には、上面部１３を形成する横長矩形形状の上面板２２が、横方向折曲げ線２１ｂを介して連設して設けられている。上面板２２は、第１側面板２３ａの長さの１／２と同様の縦幅を有するように設けられている。右側の第２側面板２３ｂの下方には、底面部１２を形成する横長矩形形状の底面板２４が、横方向折曲げ線２１ｂを介して連設して設けられている。底面板２４は、第１側面板２３ａの１／２の長さと同様の縦幅を有するように設けられている。
【００２２】
右側の第２側面板２３ｂの右側に連設する右側の第１側面板２３ａの上方には、上面板２２と共に上面部１３を形成する横長帯板形状の上面フラップ板２９が、横方向折曲げ線２１ｂを介して連設して設けられている。上面フラップ板２９は、上面板２２の縦幅の１／２と同様の縦幅を有するように設けられている。右側の第１側面板２３ａの下方には、底面板２４と共に底面部１２を形成する横長矩形形状の重合せ底面板３１が、横方向折曲げ線２１ｂを介して連設して設けられている。重合せ底面板３１は、第２側面板２３ｂの１／２の長さと同様の縦幅を有するように設けられている。重合せ底面板３１のさらに下方には、仕切り取手壁１１を形成する横長矩形形状の仕切り板３２が、横方向折曲げ線を兼ねる第３切取り誘導線２５ｃを介して連設して設けられている。仕切り板３２の下部中央部分には、例えば長円形状の取っ手穴３３が開口形成されている。
【００２３】
本実施形態では、一対の第２側面板２３ｂの各々と、これの上方に連設する各々の上面板２２とに跨るように連続して、第２側面板２３ｂや上面板２２の横方向中央部分を挟んだ両側に、一対の第１切取り誘導線２５ａが各々形成されている。第１切取り誘導線２５ａは、例えばミシン目等からなり、上面板２２の上辺からこれの垂直下方に延設して、第２側面板２３ｂと底面板２４との間の横方向折曲げ線２１ｂに至るまで、連続して設けられている。また、第２側面板２３ｂと底面板２４との間の横方向折曲げ線２１ｂに沿って、一対の第１切取り誘導線２５ａの下端部の間の部分に、例えばミシン目等からなる第２切取り誘導線２５ｂが、一対の第１切取り誘導線２５ａを繋げるように延設して設けられている。
【００２４】
また、本実施形態では、一対の第２側面板２３ｂの下方に各々連設する底面板２４には、これの横方向中央部を縦方向に延設して、例えば折れ癖線や半切れ線等からなる底面部折曲げ誘導線２６が設けられている。
【００２５】
上述のダンボール板１２を直方体形状に組み付けて、収容物３０として複数の袋容器を梱包したダンボール箱１０を形成するには、例えば、横方向に交互に連設する２枚の第１側面板２３ａと２枚の第２側面板２３ｂとを、縦方向折曲げ線２１ａを介して９０°づつ折り曲げて、矩形環状に形成すると共に、左側の第２側面板２３ｂに設けられた重合せ接合片２８を、右側の第１側面板２３ａの右端の側縁部に沿って接合することで、矩形環状に形成された状態が保持されるようにする。これにより、２枚の第１側面板２３ａと２枚の第２側面板２３ｂとによって、一方の対向する一対の側面部１４ａと、他方の対向する一対の側面部１４ｂとからなる、４方の側面部１４ａ，１４ｂが形成される。
【００２６】
しかる後に、各々の第１側面板２３ａの下方に連設する各重合せ底面板３１を、横方向折曲げ線を兼ねる第３切取り誘導線２５ｃを介して仕切り板３２を内側に９０°折り曲げた状態で、横方向折曲げ線２１ｂを介して内側に９０°折り曲げる。重合せ底面板３１を内側に折り曲げたら、重合せ底面板３１に下方から重ね合わせるようにして、各々の第２側面板２３ｂの下方に連設する、底面部折曲げ誘導線２６が形成された底面板２４を、角部２７となる横方向折曲げ線２１ｂを介して内側に９０°折り曲げて、重合せ底面板３１に接合する。
【００２７】
これによって、重合せ底面板３１と仕切り板３２との間の第３切取り誘導線２５ｃを立設基端部として、仕切り板３２を各々立設させた状態で、底面部１２が、内側の重合せ底面板３１と外側の底面板２４とによって形成される。またこれによって、底面部１２及び４方の側面部１４ａ，１４ｂによって囲まれる中空内部を２分割するように、底面部１２の中央部分から立設して、仕切り取手壁１１が、取っ手穴３３が開口形成された一対の仕切り板３２を重ね合わせて形成される。仕切り取手壁１１を挟んだ両側の中空内部には、複数の収容物３０を各々収容する一対の分割収容部３４が形成される。
【００２８】
底面板２４と重合せ底面板３１とによる底面部１２を形成したら、上面部１３を開放した状態で、仕切り取手壁１１を挟んだ両側の一対の分割収容部３４に、複数の収容物３０を整列配置した状態で各々収容する。複数の収容物３０は、仕切り取手壁１１によって仕切られた両側の中空内部である、一対の分割収容部３４に、上端部を仕切り取手壁１１側に、下端部を一方の対向する一対の側面部１４ａ側に配設した状態で収容される。
【００２９】
一対の分割収容部３４に、複数の袋容器３０を収容したら、各々の第１側面板２３ａの上方に連設する上面フラップ板２９を、横方向折曲げ線２１ｂを介して内側に９０°折り曲げる。上面フラップ板２９を内側に折り曲げたら、上面フラップ板２９に上方から重ね合わせるようにして、各々の第２側面板２３ｂの上方に連設する、第１切取り誘導線２５ａが形成された上面板２２を、横方向折曲げ線２１ｂを介して内側に９０°折り曲げて、上面フラップ板２９に接合する。
【００３０】
これによって、上面部１３が、内側の上面フラップ板２９と外側の上面板２４とによって形成される。またこれによって、上面部１３の上面板２２と、他方の対向する一対の側面部１４ｂの側面板２３ｂとに跨るように連続して、一対の第１切取り誘導線２５ａが設けられると共に、一対の第１切取り誘導線２５ａの端部の間に第２切取り誘導線２５ｂが設けられ、且つ仕切り取手壁１１を挟んだ両側の分割収容部３４に複数の収容物３０が各々収容された、図１に示すような、本実施形態のダンボール箱１０が形成される。
【００３１】
本実施形態では、上述のようにして形成されたダンボール箱１０は、商品である収容物３０の販売現場において、以下のようにして展示箱１０’に切り換えられて、複数の収容物３０を陳列棚等に陳列することが可能になる。
【００３２】
すなわち、本実施形態のダンボール箱１０によれば、収容物を除いて簡略化した状態で示す図５（ａ）〜（ｄ）にも示すように、販売現場において、図１及び図５（ａ）に示す搬送や保管に供された状態から、例えば販売員が、容易に破断可能な第１切取り誘導線２５ａ及び第２切取り誘導線２５ｂを介して、図２及び図５（ｂ）に示すように、これらの切取り誘導性２５ａ，２５ｂによって囲まれる部分を切り取って除去する。しかる後に、重ね合された一対の仕切り板３２の取っ手穴３３に指を係止した状態で、仕切り取手壁１１を把持してダンボール箱１０を引き上げる。これにより、収容された収容物３０の重量によって、底面部１２の底面板２４が、底面部折曲げ誘導線２６に沿って、これの両側の部分が重ね合されるまで二つ折りにされると共に、一方の対向する一対の側面部１４ａの側面板２３ａによって展示用底面部３５が形成されることで、図３及び図５（ａ）に示すような、複数の収容物３０が見える状態で収容された、一対の分割収容部３４が並べて配置された展示箱１０’が得られる。この展示箱１０’を、陳列棚等に配置することで、複数の収容物３０を、見える状態で容易に陳列することが可能になる。
【００３３】
したがって、本実施形態のダンボール箱１０によれば、一枚のダンボール板２０から簡易に形成できると共に、販売現場において、簡易な作業によって、複数の収容物３０を見える状態で収容した一対の分割収容部３４が並べて配置された展示箱１０’として、収容物３０を容易に陳列することが可能になる。
【００３４】
また、本実施形態よれば、仕切り取手壁１１によって仕切られた両側の分割収容部３４に、複数の収容物３０が、上端部３０ａを仕切り取手壁１１側に、下端部３０ｂを一方の対向する一対の側面部１４ａ側に配設した状態で収容されているので、展示箱１０’を形成した際に、収容物３０を正立状態として陳列することが可能になる。
【００３５】
さらに、本実施形態よれば、底面部１２から立設する仕切り取手壁１１の立設基端部に沿って、折曲げ誘導線を兼ねる第３切取り誘導線２５ｃが設けられていて、仕切り取手壁１１を引き上げて得られた展示箱１０’から、仕切り取手壁１１を、第３切取り誘導線２５ｃに沿って切離し可能となっているので、図５（ｃ），（ｄ）に示すように、例えば展示箱１０’を陳列棚等に設置した後に、仕切り取手壁１１を切り離して除去することで、仕切り取手壁１１が陳列の邪魔にならないようにすることが可能になる。
【００３６】
さらにまた、本実施形態のダンボール箱１０によれば、図１及び図５（ａ）に示す搬送や保管に供された状態では、仕切り取手壁１１は、上面部１３の特に上面板２２を、中央部分で下方から支持する補強板としての役割を果たすことが可能である。これによって、収容物３０が、缶や瓶やボトルのように、相当の補強剛性を備えていることで、収納時にダンボールの補強となり得るものではなく、パウチやガセット袋やピロー袋等の、柔らかく剛性のないものであっても、ダンボール箱１０を効果的に補強して、例えば積み上げた状態で荷崩れさせることなく、搬送や保管に供することが可能になる。
【００３７】
なお、本発明は上記実施形態に限定されることなく種々の変更が可能である。例えば、ダンボール箱に収容される収容物は、軟包材によって形成された袋に内容液が収容された扁平な袋容器である必要は必ずしも無く、ボトル形状の容器等、その他の汎用されている種々の容器であっても良い。収容物は、液体洗剤や柔軟剤等の液体が充填されたものの他、粉粒物や固形物が入れられたものであっても良い。
【符号の説明】
【００３８】
１０  ダンボール箱
１０’展示箱
１１  仕切り取手壁
１２  底面部
１３  上面部
１４ａ  一方の対向する一対の側面部
１４ｂ  他方の対向する一対の側面部
２０  ダンボール板
２１ａ  縦方向折曲げ線
２１ｂ  横方向折曲げ線
２２  上面板
２３ａ  第１側面板
２３ｂ  第２側面板
２４  底面板
２５ａ  第１切取り誘導線
２５ｂ  第２切取り誘導線
２５ｃ  第３切取り誘導線
２６  底面部折曲げ誘導線
２７  底面板と他方の対向する一対の側面板との角部
２８  重合せ接合片
２９  上面フラップ板
３０  収容物（袋容器）
３０ａ  上端部
３０ｂ  下端部
３１  重合せ底面板
３２  仕切り板
３３  取っ手穴
３４  分割収容部
３５  展示用底面部
【図１】
2015105115.tif 000003
【図２】
2015105115.tif 000004
【図３】
2015105115.tif 000005
【図４】
2015105115.tif 000006
【図５】
2015105115.tif 000007